(57)【要約】【課題】配線ケーブルのコネクタの情報に基づいて、配線ケーブルが接続される配線装置を制御することによって、コネクタの誤挿入による影響を防止する。【解決手段】配線管理システム１０は、配線ケーブル２００のコネクタを接続するための配線装置１１０と、コネクタに取り付けられたＩＣタグに記憶された識別情報を非接触で読み取る検出部１２０と、識別情報を受信するとともに、識別情報に基づいて、配線装置１１０におけるコネクタが挿入されたアダプタ１４０に関連する設定状態を制御するための制御装置１５０とを備える。【選択図】図１
2012190583.tif 000002
【特許請求の範囲】
【請求項１】
配線装置に接続される配線ケーブルの接続状態を管理するための配線管理装置であって、
前記配線装置には、前記配線ケーブルのコネクタが前記配線装置に挿入された状態において、前記コネクタに取り付けられたＩＣタグに記憶された識別情報の少なくとも読み取りが非接触で行なえるように構成された検出部が設けられ、
前記配線管理装置は、
前記検出部からの前記識別情報を受信する受信部と、
前記検出部により検出された前記識別情報に基づいて、前記配線装置における前記コネクタが挿入された挿入口に関連する設定状態を制御するための制御部とを備える、配線管理装置。
【請求項２】
前記設定状態は、各挿入口についての利用可能状態および利用不可能状態を含み、
前記制御部は、前記配線装置に挿入されるべき各コネクタに関する前記配線装置への配置データを予め記憶するとともに、記憶された前記配置データと検出された前記識別情報とを比較することによって、前記コネクタが挿入された前記挿入口の前記利用可能状態と前記利用不可能状態とを切換える、請求項１に記載の配線管理装置。
【請求項３】
前記制御部は、前記識別情報に基づいて、挿入された前記コネクタが前記配置データに記憶されている前記挿入口に挿入されるべきコネクタである場合は、前記挿入口を前記利用可能状態に設定し、前記挿入口に挿入されるべきコネクタでない場合は、前記挿入口を前記利用不可能状態に設定する、請求項２に記載の配線管理装置。
【請求項４】
前記制御部は、前記挿入口に前記コネクタが挿入されていないときは、前記挿入口を前記利用不可能状態に設定する、請求項２または３に記載の配線管理装置。
【請求項５】
前記設定状態は、各挿入口に挿入されるべきコネクタを用いた伝送仕様に関連する設定情報により定義される状態を含み、
前記制御部は、前記配線装置に挿入されるべき各コネクタに対応する設定情報を予め記憶するとともに、前記識別情報に基づいて、前記コネクタが挿入された前記挿入口の設定情報を、挿入された前記コネクタに対応する設定情報に設定する、請求項１に記載の配線管理装置。
【請求項６】
前記設定情報は、前記コネクタにより接続されるべき伝送経路または機器に関する情報を含む、請求項５に記載の配線管理装置。
【請求項７】
前記設定状態は、各挿入口についての利用可能状態および利用不可能状態をさらに含み、
前記制御部は、前記コネクタが挿入された前記挿入口についての前記設定情報を、挿入された前記コネクタに対応する設定情報に設定した後に、前記挿入口を前記利用可能状態に設定する、請求項５に記載の配線管理装置。
【請求項８】
前記配線装置に挿入されるべき各コネクタに関する前記配線装置への配置データおよび設定情報を登録するために用いられるインターフェース装置をさらに備える、請求項１に記載の配線管理装置。
【請求項９】
配線装置に接続される配線ケーブルの接続状態を管理するための配線管理方法であって、
前記配線ケーブルのコネクタを前記配線装置に挿入するステップと、
前記コネクタに取り付けられたＩＣタグに記憶された識別情報を非接触で読み取るステップと、
検出された前記識別情報に基づいて、前記配線装置における前記コネクタが挿入された挿入口に関連する設定状態を制御するためのステップとを備える、配線管理方法。
【請求項１０】
配線ケーブルのコネクタを接続するための配線装置と、
前記コネクタが前記配線装置に挿入された状態において、前記コネクタに取り付けられたＩＣタグに記憶された識別情報の少なくとも読み取りが非接触で行なえるように構成された検出部と、
前記検出部により検出された前記識別情報を受信するとともに、前記識別情報に基づいて、前記配線装置における前記コネクタが挿入された挿入口に関連する設定状態を制御するための制御装置とを備える、配線管理システム。
【発明の詳細な説明】
【技術分野】
【０００１】
本発明は、配線管理装置、配線管理システムおよび配線管理方法に関し、より特定的には、配線ケーブルのコネクタの情報に基づいて、配線ケーブルが接続される配線装置を制御するための配線管理システムに関する。
【背景技術】
【０００２】
近年、インターネットの拡大により、ローカルエリアネットワーク（ＬＡＮ）や広域ネットワーク（ＷＡＮ）などのネットワークが普及しつつある。これに伴って、ルータやスイッチングＨＵＢなどのネットワーク機器が必要となり、さらにこれらのネットワーク機器間をつなぐための配線ケーブルが多数必要となる。特に大規模なネットワークシステムにおいては、この配線ケーブルの数が膨大となるので、配線ケーブルの追加や接続換えの際の配線間違えを防止することが望まれる。
【０００３】
特開２００８−１４０３９２号公報（特許文献１）は、接続されたケーブルから受信したケーブル識別子を用いて、接続位置とそれに対応するケーブルについての予め記憶されたリストと比較し、その結果によって接続位置に対応するインジケータを活性化する、ケーブル管理のためのデータ処理システムを開示する。
【先行技術文献】
【特許文献】
【０００４】
【特許文献１】特開２００８−１４０３９２号公報
【特許文献２】特開平０２−１３２７８０号公報
【特許文献３】特開平０６−６８９３５号公報
【発明の概要】
【発明が解決しようとする課題】
【０００５】
ルータやスイッチングＨＵＢなどのネットワーク機器においては、１台の機器に対して、多数の配線ケーブルが接続される。これらの機器に接続されるケーブルのコネクタは、規格化されている場合が多く、コネクタが挿入される挿入口についてもそれに対応した形状となっている。そのため、これらのネットワーク機器には、同じ形状の挿入口が多数配置されるので、ユーザが配線ケーブルを接続する場合に、そのコネクタを挿入すべき挿入口とは異なった挿入口に間違って挿入してしまう誤挿入が起こり得る。
【０００６】
特に、近年では、挿入口ごとに異なった役割を有するように、挿入口の伝送仕様が個別に設定される場合があり、そのような場合にコネクタの誤挿入が行なわれると、接続された機器に異常が生じたり、接続されたネットワークを停止させてしまったりする要因となるおそれがある。
【０００７】
本発明は、このような課題を解決するためになされたものであって、その目的は、配線ケーブルのコネクタの情報に基づいて、配線ケーブルが接続される配線装置を制御することによって、コネクタの誤挿入による影響を防止することである。
【課題を解決するための手段】
【０００８】
本発明による配線管理装置は、配線装置に接続される配線ケーブルの接続状態を管理する。配線装置には、配線ケーブルのコネクタが配線装置に挿入された状態において、コネクタに取り付けられたＩＣタグに記憶された識別情報の少なくとも読み取りが非接触で行なえるように構成された検出部が設けられる。配線管理装置は、検出部からの識別情報を受信する受信部と、検出部により検出された識別情報に基づいて配線装置におけるコネクタが挿入された挿入口に関連する設定状態を制御するための制御部とを備える。
【０００９】
好ましくは、設定状態は、各挿入口についての利用可能状態および利用不可能状態を含む。制御部は、配線装置に挿入されるべき各コネクタに関する配線装置への配置データを予め記憶するとともに、記憶された配置データと検出された識別情報とを比較することによって、コネクタが挿入された挿入口の利用可能状態と利用不可能状態とを切換える。
【００１０】
好ましくは、制御部は、識別情報に基づいて、挿入されたコネクタが配置データに記憶されている挿入口に挿入されるべきコネクタである場合は、挿入口を利用可能状態に設定し、挿入口に挿入されるべきコネクタでない場合は、挿入口を利用不可能状態に設定する。
【００１１】
好ましくは、制御部は、挿入口にコネクタが挿入されていないときは、挿入口を利用不可能状態に設定する。
【００１２】
好ましくは、設定状態は、各挿入口に挿入されるべきコネクタを用いた伝送仕様に関連する設定情報により定義される状態を含む。制御部は、配線装置に挿入されるべき各コネクタに対応する設定情報を予め記憶するとともに、識別情報に基づいて、コネクタが挿入された挿入口の設定情報を、挿入されたコネクタに対応する設定情報に設定する。
【００１３】
好ましくは、設定情報は、コネクタにより接続されるべき伝送経路または機器に関する情報を含む。
【００１４】
好ましくは、設定状態は、各挿入口についての利用可能状態および利用不可能状態をさらに含む。制御部は、コネクタが挿入された挿入口についての設定情報を挿入されたコネクタに対応する設定情報に設定した後に、挿入口を利用可能状態に設定する。
【００１５】
好ましくは、配線装置に挿入されるべき各コネクタに関する配線装置への配置データおよび設定情報を登録するために用いられるインターフェース装置をさらに備える。
【００１６】
本発明による配線管理方法は、配線装置に接続される配線ケーブルの接続状態を管理するための方法である。配線管理方法は、配線ケーブルのコネクタを配線装置に挿入するステップと、コネクタに取り付けられたＩＣタグに記憶された識別情報を非接触で読み取るステップと、検出された識別情報に基づいて、配線装置におけるコネクタが挿入された挿入口に関連する設定状態を制御するためのステップとを備える。
【００１７】
本発明による配線管理システムは、配線ケーブルのコネクタを接続するための配線装置と、検出部と、制御装置とを備える。検出部は、コネクタが配線装置に挿入された状態において、コネクタに取り付けられたＩＣタグに記憶された識別情報の少なくとも読み取りを非接触で行なう。制御装置は、検出部により検出された識別情報を受信するとともに、識別情報に基づいて、配線装置におけるコネクタが挿入された挿入口に関連する設定状態を制御する。
【発明の効果】
【００１８】
本発明によれば、配線ケーブルのコネクタの情報に基づいて、配線ケーブルが接続される配線装置を制御することによって、コネクタの誤挿入による影響を防止することができる。
【図面の簡単な説明】
【００１９】
【図１】本実施の形態に従う、配線管理システムの例の概略図である。
【図２】本実施の形態に従う、他の配線管理システムの例の概略図である。
【図３】配線コネクタの詳細を説明するための図である。
【図４】配線コネクタが配線装置に接続された状態を示す図である。
【図５】実施の形態１において、制御装置で実行される配線管理制御を説明するための機能ブロック図である。
【図６】実施の形態１において、記憶部に記憶された設定情報の一例を示す図である。
【図７】実施の形態１において、制御装置で実行される配線管理制御処理の詳細を説明するためのフローチャートである。
【図８】実施の形態２において、制御装置で実行される配線管理制御を説明するための機能ブロック図である。
【図９】実施の形態２において、記憶部に記憶された設定情報の一例を示す図である。
【図１０】実施の形態２において、制御装置で実行される配線管理制御処理の詳細を説明するためのフローチャートである。
【発明を実施するための形態】
【００２０】
以下、本発明の実施の形態について、図面を参照しながら詳細に説明する。なお、図中同一または相当部分には同一符号を付してその説明は繰り返さない。
【００２１】
［配線管理システムの構成］
図１は、本発明に従う配線管理システム１００の概略図である。図１を参照して、配線管理システム１００は、配線装置１１０と、検出部であるアンテナ部１２０と、制御装置１５０と、インターフェース装置３００とを備える。
【００２２】
配線装置１１０は、たとえば、ルータやスイッチングＨＵＢのような電気通信ネットワーク機器である。なお、配線装置１１０は、上記のように電気通信ネットワーク機器に限られず、光ファイバスイッチのような光通信ネットワーク機器、あるいは、電力を分岐するための分電装置なども含まれる。
【００２３】
配線装置１１０には、配線ケーブル２００のコネクタが接続される複数の挿入口（以下、「アダプタ」とも称する。）１４０が設けられる。アダプタ１４０の各々は、たとえば、配線装置１１０の前面パネルに一列または複列に配置される。配線装置１１０は、接続されたコネクタを、挿入されたアダプタに対応したネットワーク（ＬＡＮ＿Ａ１０またはＬＡＮ＿Ｂ２０）に電気的に接続する。図１においては、アダプタ１４０は、複数のアダプタで構成されているが、アダプタは１つの場合であってもよい。
【００２４】
配線装置１１０には、アダプタ１４０に隣接してアンテナ部１２０が設けられる。アンテナ部１２０は、アダプタに接続された配線ケーブル２００のコネクタに設置されたＲＦＩＤ（Radio Frequency IDentification）タグ（以下、「ＩＣタグ」とも称する。）に記憶された各コネクタのＩＤ情報に関する信号ＳＩＧを読み取り、読み取った信号ＳＩＧを制御装置１５０に伝達する。なお、ＩＣタグに記憶された情報には、コネクタのＩＤ情報だけでなくその他の管理情報が含まれる場合があるが、以降の説明においては、これらその他の管理情報も含めてＩＤ情報と称する。
【００２５】
制御装置１５０は、図５において後述するが、各アダプタについての設定情報などを記憶する記憶部、アンテナ部１２０からのコネクタのＩＤ情報を受信する受信部、および受信されたＩＤ情報に基づいて配線装置１１０を制御するための制御部を含んで構成され、たとえばパーソナルコンピュータにより構成される。制御装置１５０は、いずれも図１には図示しないがＣＰＵ（Central  Processing  Unit）、記憶装置および入出力バッファを含み、以降で説明するような配線管理制御を行なう。なお、これらの制御については、ソフトウェアによる処理に限られず、専用のハードウェア（電子回路）で処理することも可能である。
【００２６】
制御装置１５０の詳細な機能については、以降で詳述するが、機能の概要としては、予め記憶された配線装置１１０の各アダプタに挿入されるべきコネクタの配置情報や設定情報と、実際のアダプタに挿入されたコネクタのＩＣタグから読み出されたＩＤ情報とに基づいて、制御信号ＣＴＲを用いて配線装置１１０を制御し、配線ケーブル２００の接続状態の管理およびアダプタ１４０についての設定等を行なうことである。
【００２７】
制御装置１５０には、接続ケーブル１７０を介して、表示部３１０および操作部３２０を含むインターフェース装置３００が接続される。インターフェース装置３００は、ユーザが、上記の配置情報や設定情報を制御装置１５０に設定したり、配線ケーブル２００の接続状態を監視したりするために用いられる。なお、図１においては、インターフェース装置３００が、制御装置１５０と個別の装置として示されているが、制御装置１５０がインターフェース装置３００の機能をあわせ持つ構成としてもよい。制御装置１５０およびインターフェース装置３００によって、配線管理装置が構成される。
【００２８】
なお、図１においては、説明を容易にするために、１つの配線装置１１０のみが制御装置１５０に接続されている構成を示すが、配線装置の数はこれに限られず、制御装置１５０に複数の配線装置が接続されてもよい。
【００２９】
また、図１においては、配線装置１１０がアダプタ１４０と、アダプタ１４０の設定等を制御する制御機能とを含む構成であったが、図２に示される、配線管理システムの他の例のように、配線装置が、配線ケーブル２００が接続される接続部１１０Ａと制御機能を有する制御ユニット１１５に分離されたような構成であってもよい。
【００３０】
図２における接続部１１０Ａには、図１の配線装置１１０と同様にアダプタ１４０が設けられる。接続部１１０Ａには、アダプタ１４０に隣接してアンテナ部１２０が設けられる。接続部１１０Ａは、ケーブル１８０を介して制御ユニット１１５に接続される。
【００３１】
制御ユニット１１５は、接続部１１０Ａに接続されたコネクタを、挿入されたアダプタに対応したネットワーク（ＬＡＮ＿Ａ１０またはＬＡＮ＿Ｂ２０）に電気的に接続する。また、制御ユニット１１５は、制御装置１５０からの制御信号ＣＴＲによって制御され、各アダプタの状態を変更する。
【００３２】
次に、図３および図４を用いて、配線ケーブルのコネクタおよび配線装置のアダプタへの配線ケーブルの接続の詳細について説明する。
【００３３】
図３は、配線装置１１０のアダプタ１４０に接続される配線ケーブル２００のコネクタ部分を説明するための図である。
【００３４】
図１および図３を参照して、配線ケーブル２００は、ケーブル部２３０の両端に、コネクタ２１０が設けられる。図３においては、説明を容易とするために、コネクタ２１０の下面が上向きとなるように図示されている。
【００３５】
コネクタ２１０の下面には、接点部２５０が設けられる。接点部２５０は、コネクタ２１０の内部において、ケーブル部２３０に含まれる通信線に接続される。接点部２５０は、コネクタ２１０がアダプタ１４０に挿入されたときに、配線装置１１０の接点と接触して信号を伝達する。また、コネクタ２１０の上面には、コネクタ２１０がアダプタ１４０から脱落してしまうことを防止するための爪部２２０を有する。
【００３６】
爪部２２０は、コネクタ２１０がアダプタ１４０に挿入されると、アダプタ１４０の凹部と係合し、コネクタ２１０がロックされる。コネクタ２１０をアダプタから取り外す時には、爪部２２０を下面側に押し下げて爪部２２０と凹部との係合を解除することによって、コネクタ２１０をアダプタ１４０から引抜くことが可能になる。
【００３７】
また、配線ケーブル２００には、ケーブル部２３０に沿って移動可能であり、かつコネクタ２１０を保護するためのカバー部２４０が設けられる。カバー部２４０は、コネクタ２１０がアダプタ１４０に挿入された後に、コネクタ２１０を覆うように配置され、コネクタ２１０とケーブル部２３０との境界部の屈曲や、爪部２２０の誤操作によるコネクタ２１０の意図しない脱落を防止する。
【００３８】
コネクタ２１０の下面には、コネクタ２１０のＩＤ情報が予め記憶されたＩＣタグ２６０が取付けられる。ＩＣタグ２６０に記憶されたＩＤ情報としては、たとえば、当該配線ケーブル２００に付された配線番号や、接続されるべき配線装置の番号などが含まれる。
【００３９】
ＩＣタグ２６０の大きさとしては、たとえば、コネクタ２１０の幅、すなわち配線ケーブル２００のアダプタ１４０への挿入方向（図２中のＹ方向）に対して直交する方向（図２中のＸ方向）の長さよりも小さいものが採用される。さらに、コネクタ２１０の幅の１／２よりも小さいものがより好適である。そして、ＩＣタグ２６０は、コネクタ２１０の幅方向の中央から、幅方向のいずれか定められた向きにずらして配置される。図２の例では、ＩＣタグは、コネクタ２１０の挿入方向（Ｙ方向）に対して右側の辺に沿うように配置されている。
【００４０】
なお、ＩＣタグ２６０の大きさおよび設置位置は、上記で説明した態様には限定されないが、図４で後述するように、コネクタ２１０の下面が互いに対向するようにアダプタ１４０が配置される場合には、ＩＣタグ２６０を上述のような大きさ，設置位置とすることによって、アンテナ部１２０における検出が干渉しないようにすることができる。
【００４１】
図４は、本実施の形態における、アンテナ部１２０の配置を説明するための図であり、配線装置１１０の上側および下側のアダプタの両方に配線ケーブルが挿入された状態において配線装置１１０を側面から見た図を示す。
【００４２】
図４を参照して、上側のコネクタと下側のコネクタとは、互いに下面が向き合うように、すなわち接点部２５０が互いに対向するようにアダプタに挿入される。このような配置においては、ＩＣタグ２６０についても対向するので、アンテナ部１２０は上下のコネクタの間に設置される。アンテナ部１２０は、各ＩＣタグに対応して配置されるアンテナ素子１２１を含む。
【００４３】
そして、それぞれのカバー部２４０が、コネクタを保護するために設置される。このとき、カバー部２４０の配線装置１１０側の端面と配線装置１１０との間の隙間は短く、既存のＬＡＮ用の通信ケーブルにおいては、たとえば約３ｍｍである。アンテナ部１２０を既存の配線装置に後付けで設置するためには、当該隙間に設置できる寸法に適合して設計されることが好ましい。
【００４４】
［実施の形態１］
上記のような配線管理システムにおいては、配線ケーブルのコネクタに取付けられたＩＣタグからの信号によって、アダプタに接続された配線ケーブルが、当該アダプタに接続されるべき配線ケーブルであるか否かを判断することができる。
【００４５】
しかしながら、配線装置の各アダプタについては、接続されるべき配線ケーブルの伝送仕様に対応した専用の設定状態に予め設定される場合がある。このような場合には、間違ったアダプタに配線ケーブルが接続されてしまうと、接続された機器やネットワーク経路に悪影響を与えてしまうおそれがある。
【００４６】
そこで、実施の形態１においては、アダプタに接続された配線ケーブルが、当該アダプタに接続されるべき配線であるか否かに応じて、通信の許可と禁止とを切換える配線管理制御を行なう。
【００４７】
図５は、実施の形態１において、制御装置１５０で実行される配線管理制御を説明するための機能ブロック図である。図５における各機能ブロックについては、制御装置１５０においてハードウェア的またはソフトウェア的な処理によって実現される。
【００４８】
図１および図５を参照して、制御装置１５０は、設定部１５１と、受信部１５３と、制御部１５６とを含む、また、制御部１５６は、記憶部１５２と、判定部１５４と、機器制御部１５５とを含む。
【００４９】
設定部１５１は、ユーザがインターフェース装置３００を用いて登録した、配線ケーブル２００の各コネクタが挿入されるべきアダプタ１４０の挿入位置を含む設定信号ＳＥＴを受ける。設定部１５１は、受信した設定信号ＳＥＴに基づいて、たとえばマップやリストのような参照データＤＡＴを作成し、その参照データＤＡＴを記憶部１５２に記憶させる。
【００５０】
記憶部１５２（以下、ＤＢ「Data Base」とも称する。）は、設定部１５１から受ける参照データＤＡＴを記憶するとともに、判定部１５４からの要求に応じて、参照データＤＡＴを含むアダプタ１４０の設定情報ＩＮＦＯを判定部１５４に出力する。
【００５１】
受信部１５３は、配線装置１１０のアダプタ１４０に配線ケーブル２００のコネクタが挿入されたときに、アンテナ部１２０により検出されたコネクタのＩＤ情報に関する信号ＳＩＧを受ける。受信部１５３は、受信した信号ＳＩＧに基づいて、コネクタのＩＤ情報を読み取り、そのＩＤ情報を判定部１５４に出力する。なお、この受信部１５３については、制御装置１５０の外部に個別に設けられてもよく、その場合には、受信部１５３において読み取られたＩＤ情報が制御装置１５０に直接入力される。
【００５２】
判定部１５４は、記憶部１５２からの設定情報ＩＮＦＯおよび受信部１５３からのＩＤ情報とを受ける。設定情報ＩＮＦＯには、たとえば、図６に示されるようなリストが含まれる。図６のリストは、配線装置１１０の各アダプタに接続されるべき配線ケーブルのケーブルＩＤが定められた設定リストの一例である。
【００５３】
判定部１５４は、受信部１５３からのＩＤ情報から、たとえば、Ｎｏ．１のアダプタに接続された配線ケーブルのケーブルＩＤを取得する。取得したケーブルＩＤが「００１」である場合は、判定部１５４は、図６の設定リストを参照することによって、接続された配線ケーブルが当該アダプタに接続されるべき配線ケーブルであると判定する。この場合には、判定部１５４は判定フラグＦＬＧをオンに設定して、機器制御部１５５に判定フラグＦＬＧを出力する。
【００５４】
一方、取得したケーブルＩＤが「００１」ではなく、たとえば「００２」であった場合、判定部１５４は、図６の設定リストから、接続された配線ケーブルは当該アダプタに接続されるべき配線ケーブルではないと判定する。そして、判定部１５４は、判定フラグＦＬＧをオフに設定して、機器制御部１５５に判定フラグＦＬＧを出力する。
【００５５】
機器制御部１５５は、判定部１５４からの判定フラグＦＬＧを受ける。機器制御部１５５は、判定フラグＦＬＧがオンであり、該当するアダプタに対応した配線ケーブルが接続されている場合には、当該アダプタを利用可能状態（オンライン状態）に設定するような制御信号ＣＴＲを生成する。一方、機器制御部１５５は、判定フラグＦＬＧがオフであり、該当するアダプタに対応した配線ケーブルが接続されていない場合には、当該アダプタを利用不可能状態（オフライン状態）に設定するような制御信号ＣＴＲを生成する。そして、機器制御部１５５は、生成した制御信号ＣＴＲを配線装置１１０へ出力する。
【００５６】
ここで、オンライン状態とは、接続された配線ケーブルによって信号の授受が可能である状態であり、オンライン状態とされることによって配線装置１１０を介して通信をすることが可能となる。一方、オフライン状態とは、接続された配線ケーブルによって信号の授受が禁止される状態であり、たとえば、配線装置１１０内において、該当するアダプタとネットワーク経路との電気的接続を遮断することによって、接続された配線ケーブルによる通信が不可能とされる。
【００５７】
図７は、実施の形態１において、制御装置１５０で実行される配線管理制御処理の詳細を説明するためのフローチャートである。図７に示されるフローチャートは、制御装置１５０に予め格納されたプログラムがメインルーチンから呼び出されて、所定周期で実行されることによって処理が実現される。あるいは、一部のステップについては、専用のハードウェア（電子回路）で処理を実現することも可能である。
【００５８】
図１および図７を参照して、制御装置１５０は、ステップ（以下、ステップをＳと略す。）１００にて、配線装置１１０のアダプタ１４０に、新規の配線ケーブル２００が接続されたか否かを判定する。この判定は、配線ケーブル２００のコネクタのＩＣタグが新たに検出されたか否かにより行われる。
【００５９】
新規配線ケーブル２００の接続がない場合（Ｓ１００にてＮＯ）は、制御装置１５０は、この処理を終了する。
【００６０】
新規配線ケーブル２００の接続がある場合（Ｓ１００にてＹＥＳ）は、制御装置１５０は、Ｓ１１０にて、配線ケーブル２００が接続されたアダプタ１４０を認識するとともに、Ｓ１２０にて、接続された配線ケーブル２００のケーブルＩＤをコネクタのＩＣタグからの信号により取得する。
【００６１】
次に、Ｓ１３０にて、制御装置１５０は、取得した上記の情報を、記憶部（ＤＢ）１５３（図５）に登録された、図６のような参照リストと比較する。そして、Ｓ１４０にて、制御装置１５０は、取得したケーブルＩＤが、参照リストと合致しているか否か、すなわち、接続された配線ケーブル２００が当該アダプタに接続されるべき配線ケーブルであるか判定する。
【００６２】
ケーブルＩＤが合致している場合（Ｓ１４０にてＹＥＳ）は、制御装置１５０は、Ｓ１５０にて、制御信号ＣＴＲによって、当該アダプタをオンライン状態とするように配線装置１１０を制御する。
【００６３】
一方、ケーブルＩＤが合致していない場合（Ｓ１４０にてＮＯ）は、制御装置１５０は、Ｓ１５５にて、当該アダプタをオフライン状態とするように配線装置１１０を制御する。
【００６４】
なお、図７には示されていないが、配線ケーブルが接続されていないアダプタは、オフライン状態にされる。
【００６５】
以上のような処理に従って制御を行なうことによって、配線ケーブルのコネクタが、挿入されるべきアダプタとは異なる位置のアダプタに間違って挿入された場合であっても、当該配線ケーブルからの信号が遮断されるので、配線ケーブルの誤接続によってネットワークに影響が生じることを防止することができる。
【００６６】
［実施の形態２］
実施の形態１では、アダプタに接続された配線ケーブルが、当該アダプタに接続されるべき配線であるか否かに応じて、そのアダプタをオンライン状態またはオフライン状態のいずれかに設定する構成について説明した。
【００６７】
しかし、実施の形態１のような構成の場合では、配線ケーブルが誤接続であった場合には、ユーザによる接続修正が必要となる。また、ユーザが誤接続であることに気が付かなかった場合、あるいは誤接続の確認を怠った場合には、通信ができないままの状態が継続するので、ユーザが意図した通信または制御ができない状態になるという別の問題が生じ得る。
【００６８】
そこで、実施の形態２においては、配線ケーブルが間違って接続された場合に、当該配線ケーブルが接続されたアダプタの設定を、接続された配線ケーブルに適した状態に自動的に変更した後に、アダプタをオンライン状態とする構成について説明する。
【００６９】
このような構成とすることによって、配線ケーブルの誤接続によってネットワークに影響が生じることを防止することができることに加えて、誤接続が行なわれた場合であっても、所望のネットワークへの接続を確立することが可能となる。
【００７０】
図８は、実施の形態２において、制御装置１５０Ａで実行される配線管理制御を説明するための機能ブロック図である。図８の制御装置１５０Ａは、実施の形態１の制御装置１５０における制御部１５６が制御部１５６Ａに置き換わったものとなっている。制御部１５６Ａは、制御部１５６における記憶部１５２および機器制御部１５５が、記憶部１５２Ａおよび機器制御部１５５Ａにそれぞれ置き換わったものである。図８において、図５と重複する要素の説明は繰り返さない。
【００７１】
図１および図８を参照して、記憶部１５２Ａは、設定部１５１からの参照データＤＡＴを受ける。この参照データＤＡＴには、図５で説明したような、各コネクタが挿入されるべきアダプタ１４０の挿入位置に加えて、たとえば、接続されるべきネットワーク経路や、ＰｏＥ（Power Over Ethernet）の場合には供給すべき電力などのような、各アダプタに対する伝送仕様に関する設定情報が含まれる。
【００７２】
記憶部１５２Ａは、判定部１５４からの要求に応じてアダプタ１４０の設定情報ＩＮＦＯを判定部１５４へ出力する。また、記憶部１５２Ａは、それとともに、アダプタ１４０の設定データＣＮＦＧを機器制御部１５５Ａに出力する。アダプタ１４０の設定データＣＮＦＧは、たとえば、図９のような、登録されたケーブルＩＤがどのネットワーク経路に接続されるかが示された参照リストである。
【００７３】
再び図８を参照して、機器制御部１５５Ａは、判定部１５４からの判定フラグＦＬＧと、記憶部１５２Ａからの設定データＣＮＦＧとを受ける。判定フラグＦＬＧがオンである場合には、配線ケーブル２００が適切に接続されているので、機器制御部１５５Ａは、該当するアダプタ１４０をオンライン状態に設定するように配線装置１１０を制御する。
【００７４】
一方、判定フラグＦＬＧがオフである場合は、配線ケーブル２００が間違ったアダプタ１４０に接続されているので、機器制御部１５５Ａは、設定データＣＮＦＧに従って、配線装置１１０における当該アダプタ１４０の設定情報を、接続された配線ケーブル２００に適合した情報へ変更する。そして、機器制御部１５５Ａは、アダプタ１４０をオンライン状態に設定するように配線装置１１０を制御する。
【００７５】
図１０は、実施の形態２において、制御装置１５０Ａで実行される配線管理制御処理の詳細を説明するためのフローチャートである。
【００７６】
図１および図１０を参照して、制御装置１５０Ａは、Ｓ２００にて、配線装置１１０のアダプタ１４０に、新規の配線ケーブル２００が接続されたか否かを判定する。
【００７７】
新規配線ケーブル２００の接続がない場合（Ｓ２００にてＮＯ）は、制御装置１５０Ａは、この処理を終了する。
【００７８】
新規配線ケーブル２００の接続がある場合（Ｓ２００にてＹＥＳ）は、制御装置１５０Ａは、Ｓ２１０にて、配線ケーブル２００が接続されたアダプタ１４０を認識するとともに、Ｓ２２０にて、接続された配線ケーブル２００のケーブルＩＤをコネクタのＩＣタグからの信号により取得する。
【００７９】
次に、Ｓ２３０にて、制御装置１５０Ａは、記憶部（ＤＢ）１５３（図８）から、図６および図９で示したような参照リストを取得する。そして、Ｓ２４０にて、制御装置１５０Ａは、参照リストに基づいて、取得したケーブルＩＤが、当該アダプタ１４０に接続されるべきケーブルＩＤと合致しているか否かを判定する。
【００８０】
ケーブルＩＤが合致している場合（Ｓ２４０にてＹＥＳ）は、制御装置１５０Ａは、Ｓ２５０にて、制御信号ＣＴＲによって、当該アダプタ１４０をオンライン状態とするように配線装置１１０を制御する。
【００８１】
一方、ケーブルＩＤが合致していない場合（Ｓ２４０にてＮＯ）は、処理がＳ２４５へ進められる。そして、制御装置１５０Ａは、図９に示されるような参照リストに従って、配線ケーブル２００が接続されたアダプタ１４０に対応した伝送仕様に関する設定情報を、接続された配線ケーブル２００に適したものに変更するように配線装置１１０を制御する。その後、処理がＳ２５０に進められ、制御装置１５０Ａは、当該アダプタ１４０をオンライン状態とするように配線装置１１０を制御する。
【００８２】
以上のような処理に従って制御を行なうことによって、配線ケーブルの誤接続によってネットワークに影響が生じることを防止することができることに加えて、誤接続が行なわれた場合であっても、所望のネットワークへの接続を確立することができる。
【００８３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８４】
１０  ＬＡＮ＿Ａ、２０  ＬＡＮ＿Ｂ、１００，１００Ａ  配線管理システム、１１０  配線装置、１１０Ａ  接続部、１１５  制御ユニット、１２０  アンテナ部、１２１  アンテナ素子、１４０  アダプタ、１５０，１５０Ａ  制御装置、１５１  設定部、１５２，１５２Ａ  記憶部、１５３  受信部、１５４  判定部、１５５，１５５Ａ  機器制御部、１５６，１５６Ａ  制御部、１７０  接続ケーブル、１８０  ケーブル、２００  配線ケーブル、２１０  コネクタ、２２０  爪部、２３０  ケーブル部、２４０  カバー部、２５０  接点部、２６０  ＩＣタグ、３００  インターフェース装置、３１０  表示部、３２０  操作部。
【図１】
2012190583.tif 000003
【図２】
2012190583.tif 000004
【図３】
2012190583.tif 000005
【図４】
2012190583.tif 000006
【図５】
2012190583.tif 000007
【図６】
2012190583.tif 000008
【図７】
2012190583.tif 000009
【図８】
2012190583.tif 000010
【図９】
2012190583.tif 000011
【図１０】
2012190583.tif 000012